(57)【要約】【課題】係止ランスによる端子の保持を安定化することができるコネクタを提供する。【解決手段】端子収容室３が設けられたハウジング５と、端子収容室３に収容される端子７と、端子収容室３に撓み可能に設けられ端子７を端子収容室３に挿入したときに自由端側と端子７との当接により撓まされ復元により自由端側が端子７を端子収容室３に係止する係止ランス９とを備えたコネクタ１において、係止ランス９の自由端側に、係止ランス９の基端側より係止ランス９の撓み方向の肉厚が薄く設定され撓み可能な薄肉部１１を設けた。【選択図】図９
2018186021.tif 000002
【特許請求の範囲】
【請求項１】
端子収容室が設けられたハウジングと、
前記端子収容室に収容される端子と、
前記端子収容室に撓み可能に設けられ前記端子を前記端子収容室に挿入したときに自由端側と前記端子との当接により撓まされ復元により自由端側が前記端子を前記端子収容室に係止する係止ランスと、
前記係止ランスの自由端側に設けられ前記係止ランスの基端側より前記係止ランスの撓み方向の肉厚が薄く設定され撓み可能な薄肉部と、
を有することを特徴とするコネクタ。
【請求項２】
請求項１記載のコネクタであって、
前記係止ランスは、撓み方向の肉厚が基端側から自由端側に向けて連続して薄く設定されていることを特徴とするコネクタ。
【請求項３】
請求項１又は２記載のコネクタであって、
前記係止ランスは、基端側から自由端側にわたって弧状に形成されていることを特徴とするコネクタ。
【請求項４】
請求項１乃至３のいずれか１項に記載のコネクタであって、
前記係止ランスの自由端側は、前記係止ランスの基端側より前記係止ランスの撓み代分前記端子側に配置されていることを特徴とするコネクタ。
【発明の詳細な説明】
【技術分野】
【０００１】
本発明は、コネクタに関する。詳細には、端子収容室に収容される端子を係止する係止ランスを有するコネクタに関する。
【背景技術】
【０００２】
従来、コネクタとしては、端子収容室が設けられたハウジングと、端子収容室に収容される端子と、前記端子収容室に撓み可能に設けられ端子を端子収容室に係止する係止ランスとを備えたものが知られている（例えば、特許文献１参照）。
【０００３】
このコネクタでは、係止ランスが、端子を端子収容室に挿入したときに自由端側と端子との当接により撓まされ、復元により自由端側が端子に係合可能に配置され、端子を端子収容室に係止する。
【先行技術文献】
【特許文献】
【０００４】
【特許文献１】特開２００１−３２６０１１号公報
【発明の概要】
【発明が解決しようとする課題】
【０００５】
ところで、上記特許文献１のコネクタでは、係止ランスの撓み方向の面に、除肉部が設けられているが、この除肉部は、係止ランスが撓んだときに、端子収容室の撓み方向への係止ランスの進入量を減らすために設けられている。
【０００６】
このため、上記特許文献１のようなコネクタでは、係止ランスが、端子を端子収容室に挿入したときに自由端側と端子との当接により基端側から撓まされるので、その撓みの応力が基端側に集中してしまう。
【０００７】
この係止ランスの基端側の応力集中により、係止ランスの基端側に変形や損傷などが生じ、係止ランスによる端子の保持が不安定になる恐れがあった。
【０００８】
そこで、この発明は、係止ランスによる端子の保持を安定化することができるコネクタの提供を目的としている。
【課題を解決するための手段】
【０００９】
請求項１記載の発明は、端子収容室が設けられたハウジングと、前記端子収容室に収容される端子と、前記端子収容室に撓み可能に設けられ前記端子を前記端子収容室に挿入したときに自由端側と前記端子との当接により撓まされ復元により自由端側が前記端子を前記端子収容室に係止する係止ランスと、前記係止ランスの自由端側に設けられ前記係止ランスの基端側より前記係止ランスの撓み方向の肉厚が薄く設定され撓み可能な薄肉部とを有することを特徴とするコネクタである。
【００１０】
このコネクタでは、係止ランスの自由端側に、係止ランスの基端側より係止ランスの撓み方向の肉厚が薄く設定され撓み可能な薄肉部が設けられているので、端子を端子収容室に挿入したときの自由端側と端子との当接により、係止ランスの基端側の撓みに加えて、薄肉部も撓むことになる。
【００１１】
このため、係止ランスの撓みによる応力を、係止ランスの基端側と薄肉部とに分散することができ、係止ランスの基端側の変形や損傷などを防止し、係止ランスの基端側の強度を保持することができる。
【００１２】
従って、このようなコネクタでは、薄肉部の撓みにより係止ランスの基端側の応力集中を防止でき、係止ランスによる端子の保持を安定化することができる。
【００１３】
請求項２記載の発明は、請求項１記載のコネクタであって、前記係止ランスは、撓み方向の肉厚が基端側から自由端側に向けて連続して薄く設定されていることを特徴とする。
【００１４】
このコネクタでは、係止ランスが、撓み方向の肉厚が基端側から自由端側に向けて連続して薄く設定されているので、係止ランスの基端と自由端との間の複数箇所で係止ランスの撓みによる応力を分散することができ、さらに係止ランスの基端側の強度を保持することができる。
【００１５】
請求項３記載の発明は、請求項１又は２記載のコネクタであって、前記係止ランスは、基端側から自由端側にわたって弧状に形成されていることを特徴とする。
【００１６】
このコネクタでは、係止ランスが、基端側から自由端側にわたって弧状に形成されているので、係止ランスが直線状に形成されている場合に比較して、係止ランスの長さを短くすることができ、コネクタを小型化することができる。
【００１７】
請求項４記載の発明は、請求項１乃至３のいずれか１項に記載のコネクタであって、前記係止ランスの自由端側は、前記係止ランスの基端側より前記係止ランスの撓み代分前記端子側に配置されていることを特徴とする。
【００１８】
このコネクタでは、係止ランスの自由端側が、係止ランスの基端側より係止ランスの撓み代分端子側に配置されているので、係止ランス自体に係止ランスの撓み代をもたせることで、端子収容室内に係止ランスの撓みを許容する空間を設ける必要がなく、コネクタを小型化することができる。
【発明の効果】
【００１９】
本発明によれば、係止ランスによる端子の保持を安定化することができるコネクタを提供することができるという効果を奏する。
【図面の簡単な説明】
【００２０】
【図１】本発明の実施の形態に係るコネクタの斜視図である。
【図２】本発明の実施の形態に係るコネクタの分解斜視図である。
【図３】本発明の実施の形態に係るコネクタのハウジングの要部断面図である。
【図４】本発明の実施の形態に係るコネクタのハウジングの一部を断面とした要部斜視図である。
【図５】本発明の実施の形態に係るコネクタの係止ランスの側面図である。
【図６】本発明の実施の形態に係るコネクタの端子を電線の端末部に接続したときの斜視図である。
【図７】本発明の実施の形態に係るコネクタの係止ランスが撓んだ状態での断面図である。
【図８】（ａ）は図７のＸ−Ｘ断面図である。（ｂ）は図７のＹ−Ｙ断面図である。（ｃ）は図７のＺ−Ｚ断面図である。
【図９】本発明の実施の形態に係るコネクタの端子を端子収容室に収容しているときの断面図である。
【図１０】本発明の実施の形態に係るコネクタの端子を端子収容室に収容したときの断面図である。
【発明を実施するための形態】
【００２１】
図１〜図１０を用いて本発明の実施の形態に係るコネクタについて説明する。
【００２２】
本実施の形態に係るコネクタ１は、端子収容室３が設けられたハウジング５と、端子収容室３に収容される端子７と、端子収容室３に撓み可能に設けられ端子７を端子収容室３に挿入したときに自由端側と端子７との当接により撓まされ復元により自由端側が端子７を端子収容室３に係止する係止ランス９とを備えている。
【００２３】
そして、係止ランス９の自由端側には、係止ランス９の基端側より係止ランス９の撓み方向の肉厚が薄く設定され撓み可能な薄肉部１１が設けられている。
【００２４】
また、係止ランス９は、撓み方向の肉厚が基端側から自由端側に向けて連続して薄く設定されている。
【００２５】
さらに、係止ランス９は、基端側から自由端側にわたって弧状に形成されている。
【００２６】
また、係止ランス９の自由端側は、係止ランス９の基端側より係止ランス９の撓み代分端子７側に配置されている。
【００２７】
図１〜図１０に示すように、ハウジング５は、合成樹脂などの絶縁性材料からなり、両側壁を跨いで回動可能にレバー（不図示）が組付けられ、レバーの回動により、相手ハウジング（不図示）と嵌合可能となっている。
【００２８】
このハウジング５には、複数の端子収容室３が設けられ、相手ハウジングと嵌合することにより、相手ハウジングに収容された複数の相手端子（不図示）と複数の端子収容室３に収容された複数の端子７とが電気的に接続される。
【００２９】
端子収容室３は、長さ方向の一端側が端子７を内部に挿入させる挿入開口１３となっており、長さ方向の他端側が内部に収容された端子７に接続される相手端子の雄型のタブ状の接続部（不図示）が挿入される接続開口１５となっている。
【００３０】
この複数の端子収容室３には、長さ方向の一端側の挿入開口１３からそれぞれ複数の端子７が収容される。
【００３１】
端子７は、導電性材料からなる１枚の板材に対して、打ち抜き加工や折り曲げ加工などを施すことによって、電線接続部１７と、接続部１９とが連続する一部材で形成されている。
【００３２】
電線接続部１７は、被覆圧着部２１と、芯線圧着部２３とを備えている。
【００３３】
被覆圧着部２１は、一対の加締め片からなり、電源や機器などに接続された電線２５の端末部において、電線２５の被覆部を加締める。
【００３４】
この被覆圧着部２１を電線２５の被覆部に加締めることにより、端子７が電線２５に固定される。
【００３５】
芯線圧着部２３は、接続部１９と被覆圧着部２１との間に設けられた一対の圧着片からなり、電線２５の端末部において、電線２５の被覆部から露出された芯線部を加締めて圧着される。
【００３６】
この芯線圧着部２３を電線２５の芯線部に圧着させることにより、端子７が電線２５に電気的に接続される。
【００３７】
接続部１９は、底壁が電線接続部１７と連続する一部材で形成され、両側壁と上壁とを折り曲げ加工によって箱状に形成された雌型の接続部１９からなる。
【００３８】
この接続部１９の内部には、接続部１９と連続する一部材で所定の付勢力を有するように弾性変形可能に接点部２７を有する弾性片２９が設けられている。
【００３９】
このような接続部１９には、長さ方向の一端側に開口が設けられ、この開口から内部に相手端子のタブ状の接続部が挿入され、弾性片２９の付勢力によって接点部２７がタブ状の接続部と接触することにより、端子７と相手端子とが電気的に接続される。
【００４０】
このような箱状の接続部１９を有する端子７は、電線２５の端末部に電線接続部１７を介して接続された状態で、端子収容室３の挿入開口１３から端子収容室３内に挿入され、挿入開口１３から電線２５がハウジング５の外部に引き出される。
【００４１】
なお、ハウジング５の外部に引き出される電線２５の外周には、電線２５の外周に密着して電線２５が挿通される複数の孔３１が設けられたマットシール３３が配置されている。
【００４２】
このマットシール３３は、外周が端子収容室３の挿入開口１３側に位置するハウジング５の開口の内周に密着して収容され、ハウジング５に電線２５を挿通可能な複数の孔３５が設けられたリヤホルダ３７を組付けることによって、ハウジング５からの脱落が防止される。
【００４３】
このように端子収容室３に収容された端子７は、端子収容室３内に設けられた係止ランス９に係止されることにより、端子収容室３の挿入開口１３からの抜け止めがなされる。
【００４４】
なお、端子収容室３のタブ状の接続部が挿入される接続開口１５は、ハウジング５に組付けられるフロントホルダ３９に形成されている。
【００４５】
このフロントホルダ３９は、ハウジング５に組付けられた状態で、係止ランス９に係止される端子７の接続部１９の先端側に配置され、端子７の端子収容室３へのそれ以上の挿入を規制する。
【００４６】
係止ランス９は、基端側が端子収容室３の底壁と連続する一部材で形成され、自由端側が端子収容室３の内部に向けて傾斜しタブ状の接続部が挿入される接続開口１５側に配置され、端子収容室３内の上下方向に撓み可能に片持ち状に設けられている。
【００４７】
この係止ランス９は、端子７がハウジング５の端子収容室３の挿入開口１３から端子収容室３内に収容されるときに、接続部１９の先端側が係止ランス９と摺動しながら挿入されることにより、端子収容室３の底壁側に向けて撓まされる（図９参照）。
【００４８】
そして、端子７が端子収容室３内の正規位置に配置されると、係止ランス９が復元し、係止ランス９の自由端側が接続部１９の外方に向けて突設された係止突起４１に係合され、端子７の端子収容室３からの抜け止めがなされる（図１０参照）。
【００４９】
なお、係止ランス９の端子７の接続部１９と摺動される側の面には、接続部１９の係止突起４１と係合し、係止突起４１を係止ランス９の自由端側に案内する溝部４３が係止ランス９の基端側から自由端側に沿って設けられている。
【００５０】
加えて、係止ランス９の自由端側の幅方向一側には、解除治具（不図示）と当接し、係止ランス９を撓ませ、係止突起４１との係合を解除させる解除部４５が設けられている。
【００５１】
ここで、従来の係止ランスでは、端子７の接続部１９と摺動によって、係止ランスの基端側から係止ランスの形状を保持しながら撓まされる。
【００５２】
このため、従来の係止ランスでは、係止ランスの撓みによる応力が、係止ランスの基端側に集中し、係止ランスの基端側に変形や損傷などが生じる恐れがあった。
【００５３】
そこで、係止ランス９の自由端側には、薄肉部１１が設けられている。
【００５４】
薄肉部１１は、係止ランス９の自由端側に設けられ、係止ランス９の撓み方向の肉厚、すなわち厚さＡが、係止ランス９の基端側の厚さＣより薄く設定されている。
【００５５】
この薄肉部１１は、端子７の接続部１９との摺動により、端子収容室３の底壁側に向けて撓み可能に係止ランス９の自由端側に設けられている。
【００５６】
このような薄肉部１１が設けられた係止ランス９は、端子７の接続部１９と係止ランス９の基端側とが摺動したとき、係止ランス９の基端側を基点として係止ランス９の全体が撓みを開始する。
【００５７】
この状態から端子７の挿入を継続し、端子７の接続部１９と薄肉部１１とが摺動したとき、薄肉部１１が撓みを開始する。
【００５８】
このとき、係止ランス９の基端側にかかっていた応力が、薄肉部１１に分散され、係止ランス９の基端側に応力が集中することを防止することができる。
【００５９】
このように係止ランス９の自由端側に撓み可能な薄肉部１１を設けることにより、係止ランス９が撓んだときの応力が、係止ランス９の基端側に集中することを防止でき、係止ランス９の基端側に変形や損傷などが生じることを防止することができる。
【００６０】
ここで、係止ランス９は、撓み方向の肉厚、すなわち厚さが係止ランス９の基端側から自由端側に向けて連続して薄く設定されている。
【００６１】
詳細には、係止ランス９は、係止ランス９の中間部の厚さＢを、係止ランス９の基端側の厚さＣより薄くし、薄肉部１１の厚さＡを、係止ランス９の中間部の厚さＢより薄くし、係止ランス９全体として、基端側から自由端側に向けて係止ランス９の厚さを順次薄くなるように形成されている。
【００６２】
このように係止ランス９を基端側から自由端側に向けて厚さを順次薄く形成することにより、係止ランス９の長さ方向の全域で、端子７の接続部１９との摺動によって係止ランス９を撓ませることができ、係止ランス９の複数箇所で係止ランス９の撓みによる応力を分散することができる。
【００６３】
このような係止ランス９は、自由端が端子７側を向くように、基端側から自由端側にわたって弧状に形成されている。
【００６４】
このように係止ランス９を弧状に形成することにより、係止ランス９を直線状に形成した場合に比較して、係止ランス９の長さを短くすることができ、ハウジング５を長さ方向に小型化することができる。
【００６５】
このような係止ランス９の自由端側は、係止ランス９の基端側より係止ランス９の撓み代分端子７側に配置されている。
【００６６】
詳細には、端子７の接続部１９と摺動したときの係止ランス９全体の撓み代を撓み代Ｄとすると、係止ランス９の自由端側は、撓み代Ｄ分、係止ランス９の基端側より端子７側に配置されている。
【００６７】
このように係止ランス９の自由端側を配置することにより、係止ランス９は、端子７の接続部１９との摺動によって薄肉部１１側も撓むので、係止ランス９自体に係止ランス９の撓み代Ｄをもたせることができる。
【００６８】
このため、係止ランス９の基端側を基点として係止ランス９全体が撓み代Ｄ分、端子収容室３の底壁側に向けて撓むことがないので、端子収容室３内の係止ランス９の撓み方向側に係止ランス９の撓みを許容する空間を設ける必要がなく、ハウジング５を高さ方向に小型化することができる。
【００６９】
なお、ハウジング５の側壁には、複数の端子収容室３を連通し、スペーサ４７を挿入可能な挿通孔４９の開口が設けられている。
【００７０】
このスペーサ４７には、端子７を挿通可能な複数の孔部５１が設けられており、孔部５１内には、端子７の外方に向けて突設された二重係止突起５３に係合可能な係止部５５が突設されている。
【００７１】
このようなスペーサ４７は、端子７を端子収容室３に収容する際に、挿通孔４９に仮係止状態で挿入され、係止部５５が接続部１９の二重係止突起５３と干渉しない位置に配置され、孔部５１を端子７が挿通可能とする。
【００７２】
そして、端子７を端子収容室３の正規位置に収容した状態、すなわち接続部１９の係止突起４１と係止ランス９の自由端側とが係合した状態で、挿通孔４９にスペーサ４７を本係止状態となるように挿入することにより、係止部５５が接続部１９の二重係止突起５３と係合可能に配置され、端子収容室３に対して端子７が二重係止された状態となる。
【００７３】
このようなコネクタ１では、係止ランス９の自由端側に、係止ランス９の基端側より係止ランス９の撓み方向の肉厚が薄く設定され撓み可能な薄肉部１１が設けられているので、端子７を端子収容室３に挿入したときの自由端側と端子７との当接により、係止ランス９の基端側の撓みに加えて、薄肉部１１も撓むことになる。
【００７４】
このため、係止ランス９の撓みによる応力を、係止ランス９の基端側と薄肉部１１とに分散することができ、係止ランス９の基端側の変形や損傷などを防止し、係止ランス９の基端側の強度を保持することができる。
【００７５】
従って、このようなコネクタ１では、薄肉部１１の撓みにより係止ランス９の基端側の応力集中を防止でき、係止ランス９による端子７の保持を安定化することができる。
【００７６】
また、係止ランス９は、撓み方向の肉厚が基端側から自由端側に向けて連続して薄く設定されているので、係止ランス９の基端と自由端との間の複数箇所で係止ランス９の撓みによる応力を分散することができ、さらに係止ランス９の基端側の強度を保持することができる。
【００７７】
さらに、係止ランス９は、基端側から自由端側にわたって弧状に形成されているので、係止ランス９が直線状に形成されている場合に比較して、係止ランス９の長さを短くすることができ、コネクタ１を小型化することができる。
【００７８】
また、係止ランス９の自由端側は、係止ランス９の基端側より係止ランス９の撓み代分端子７側に配置されているので、係止ランス９自体に係止ランス９の撓み代をもたせることで、端子収容室３内に係止ランス９の撓みを許容する空間を設ける必要がなく、コネクタ１を小型化することができる。
【００７９】
なお、本発明の実施の形態に係るコネクタでは、ハウジングにフロントホルダを組付け、端子収容室の接続開口を形成させているが、これに限らず、ハウジングにフロントホルダを組付けずに、端子収容室に接続開口を形成させてもよい。
【００８０】
また、ハウジングにレバーを組付けているが、これに限らず、ハウジングにレバーを組付けずに、相手ハウジングと嵌合するようにしてもよい。
【符号の説明】
【００８１】
１…コネクタ
３…端子収容室
５…ハウジング
７…端子
９…係止ランス
１１…薄肉部
【図１】
2018186021.tif 000003
【図２】
2018186021.tif 000004
【図３】
2018186021.tif 000005
【図４】
2018186021.tif 000006
【図５】
2018186021.tif 000007
【図６】
2018186021.tif 000008
【図７】
2018186021.tif 000009
【図８】
2018186021.tif 000010
【図９】
2018186021.tif 000011
【図１０】
2018186021.tif 000012